(57)【要約】【解決手段】本発明は、照明システムに関する。照明システムは、複数の相互接続可能な多角形の照明モジュールを備え、それぞれの照明モジュールは複数の接続部材を有し、それぞれは少なくとも１つの電気端子を備えている。接続部材は、照明モジュールに回転対称的に配置されている。照明システムはさらにブリッジ部材を備えている。それぞれのブリッジ部材は、ブリッジ端子を備えていると共に、異なる照明モジュールの隣接する接続部材に取り付け可能になっていて、ブリッジを形成し、異なる接続部材の接続端子の間に電気的接続を提供する。【選択図】図３
2009519577.tif 000002
【特許請求の範囲】
【請求項１】
照明システムであって、複数の相互接続可能な多角形の照明モジュールを備え、それぞれの照明モジュールは複数の接続部材を有し、それぞれは少なくとも１つの電気端子を備え、これらは照明モジュールに回転対称的に配置され、前記照明システムはさらにブリッジ部材を備え、それぞれのブリッジ部材は、ブリッジ端子を備えていると共に、隣接する接続部材に取り付け可能になっていて、それぞれは照明モジュールのそれぞれに関連して、ブリッジを形成し、接続部材の接続端子の間に電気的接続を提供することを特徴とする照明システム。
【請求項２】
前記接続部材は、整流ブリッジに接続されていることを特徴とする請求項１に記載の照明システム。
【請求項３】
前記接続部材は、角部接続部材を備え、それぞれは角部接続端子を備え、照明モジュールのそれぞれの角部には、そうした角部接続部材が設けられていることを特徴とする請求項２に記載の照明システム。
【請求項４】
前記接続部材は、側部接続部材を備え、それぞれは側部接続端子を備え、照明モジュールのそれぞれの側部には、そうした側部接続部材が設けられていることを特徴とする請求項２又は３に記載の照明システム。
【請求項５】
前記ブリッジ部材は、側部ブリッジ部材を備え、それぞれには、２つの相互接続されたブリッジ端子が設けられ、これらは２つの隣接する側部接続端子に取り付け可能になっていて、これらはそれぞれ照明モジュールのそれぞれと関連していることを特徴とする請求項４に記載の照明システム。
【請求項６】
前記ブリッジ部材は、角部ブリッジ部材を備え、それぞれには角部ブリッジ端子が設けられ、これらは隣接する角部接続端子に取り付け可能であり、これらはそれぞれ照明モジュールのそれぞれと関連しており、それぞれの角部ブリッジ部材の角部ブリッジ端子は相互接続されていることを特徴とする請求項３、４、又は５に記載の照明システム。
【請求項７】
前記接続部材は、側部接続部材からなり、それぞれが照明モジュールのそれぞれの側部に配置されていることを特徴とする請求項２に記載の照明システム。
【請求項８】
前記ブリッジ部材は、側部ブリッジ部材からなり、それぞれが４つの側部ブリッジ端子を備え、これらは対になるように相互接続され、前記ブリッジ端子の前記対のそれぞれ１つは、２つの隣接する側部接続部材に取り付け可能になっていて、それぞれは照明モジュールのそれぞれと関連していることを特徴とする請求項７に記載の照明システム。
【請求項９】
前記接続部材は、ＡＣ及びＤＣの電源のいずれか１つによって、通電可能になっていることを特徴とする先行するいずれかの請求項に記載の照明システム。
【請求項１０】
前記接続部材は、ＤＣ接続部材からなり、それぞれが照明モジュールのそれぞれの側部に配置され、それぞれ異なる極性に接続可能な２つの接続端子を備え、それぞれのブリッジ部材は、２つの隣接するＤＣ接続部材に取り付け可能になっていて、それぞれは照明モジュールのそれぞれと関連しており、前記ブリッジ部材のそれぞれ１つは、４つのブリッジ端子を備えて、矩形の角部に配置され、対になって斜めに相互接続され、異なる極性に接続可能になっていることを特徴とする請求項１に記載の照明システム。
【請求項１１】
前記電気接続部材は、角部接続部材を備えたＤＣ接続部材からなり、これらは第１の極性に接続可能であり、これらはそれぞれ照明モジュールのそれぞれの角部に配置され、側部接続部材を備え、これらはそれぞれ照明モジュールのそれぞれの角部に配置され、第２の、反対の極性に接続可能になっていることを特徴とする請求項１に記載の照明システム。
【請求項１２】
前記接続端子は、照明モジュールの周囲に沿って、極性に関して交互に配置されていることを特徴とする請求項１０又は１１に記載の照明システム。
【請求項１３】
前記ブリッジ部材はさらに、ブリッジ接続された部材の間に機械的な接続を提供することを特徴とする先行するいずれかの請求項に記載の照明システム。
【請求項１４】
前記ブリッジ端子は、金属クランプを備え、これらは前記接続端子の電気接触部分と当接するように配置され、接続部材を一緒にクランプすることを特徴とする先行するいずれかの請求項に記載の照明システム。
【請求項１５】
それぞれのブリッジ端子は、１つのピンとソケットとを備え、それぞれの接続端子は、１つのピンとソケットとを備え、ピンとソケットとが係合されるように配置されていることを特徴とする先行するいずれかの請求項に記載の照明システム。
【請求項１６】
前記接続部材は、照明モジュールの周囲に配置されていることを特徴とする先行するいずれかの請求項に記載の照明システム。
【請求項１７】
前記接続部材のそれぞれ１つは、複数の接続端子を備え、これらは少なくとも２つの異なるタイプからなり、対称的に配置されていることを特徴とする先行するいずれかの請求項に記載の照明システム。
【発明の詳細な説明】
【技術分野】
【０００１】
本発明は、複数の相互接続可能な多角形の照明モジュールを備えている照明システムに関する。
【背景技術】
【０００２】
ここで参照される種類の照明システムは、一般的に、多角形の照明モジュール、すなわち、光放射モジュールからなり、これらは、所望の形状及びサイズの構造体を形成するように配置される。例えば、大きな画像を表示するために、照明モジュール構造体を用いて、壁が完全に又は部分的に覆われ、又は、審美的な用途の三次元構造物が形成される。
【０００３】
１つの照明システムは、刊行された米国公開特許公報第２００５／０１１６６６７号に開示されている。この従来技術では、照明モジュールは、タイルと称される薄いブロックであり、照明モジュールには、電気的及び機械的な接続手段が設けられ、照明モジュールを相互接続するようになっている。これらの接続部材は、照明モジュールの側部に設けられる。
【０００４】
しかしながら、米国２００５／０１１６６６７号は、相互接続を行うために、照明モジュールを実際にどのように設計するのかについての解決策を何ら開示していない。電気接続は、照明モジュールの電子回路を駆動するために使用される。照明モジュールは、自由に組み立てられて、大きなユニット又は構成にすることができ、それぞれの照明モジュールの方位を考慮する必要が無いことが望ましい。換言すれば、異なる照明モジュールの任意の側部が、互いに対面できることが望ましい。
【発明の開示】
【発明が解決しようとする課題】
【０００５】
本発明の目的は、回転について任意に接続可能である照明モジュールを有している照明システムを提供することである。
【課題を解決するための手段】
【０００６】
この目的は、請求項１に記載された、本発明による照明システムによって達成される。
【０００７】
従って、本発明の観点によれば、照明システムが提供され、照明システムは、複数の相互接続可能な多角形の照明モジュールを備え、それぞれの照明モジュールは複数の接続部材を有し、それぞれは少なくとも１つの電気端子を備え、これらは照明モジュールに回転対称的に配置されている。照明システムはさらにブリッジ部材を備え、それぞれのブリッジ部材は、ブリッジ端子を備えていると共に、隣接する接続部材に取り付け可能になっていて、それぞれは照明モジュールのそれぞれに関連して、ブリッジを形成し、接続部材の接続端子の間に電気的接続を提供する。
【０００８】
回転対称的である接続部材構造を提供することで、また、別々のブリッジ部材を使用することで、相互接続性に１つの自由度が導入され、これは、任意の回転で、照明モジュールを簡単に結合できるために有用である。請求項２に記載された照明システムの実施形態においては、ＤＣ電力とＡＣ電力との両方を使用して、照明モジュールに通電できる。
【０００９】
請求項３に記載された照明システムの実施形態においては、角部接続電力システムが提供される。接続部材は多角形の照明モジュールの角部に配置され、すなわち、正方形のモジュールの４つの角部、又は、六角形のモジュールの６つの角部に配置され、多角形の照明モジュールは、唯一の接続部材であるか、又は、それらは側部接続部材と組み合わせられるか、又は、請求項４に記載されたように、唯一の側部接続部材が使用される。
【００１０】
請求項５に記載された照明システムの実施形態においては、側部ブリッジ部材は、少なくとも２つの端子を備えている。２つの端子の最小は、角部と側部接続部材とを組み合わせるために有用であり、ここで、照明モジュールのそれぞれの側部について、ＡＣの中立接続又はＤＣのマイナス接続などの１つの電力接続が、角部端子に接続され、他方、すなわち、ライン接続又はプラス接続が、側部端子に接続されるさらに別のオプションは、以下に説明される。
【００１１】
請求項７乃至８に記載された照明システムの実施形態においては、側部接続部材だけが設けられる。そして、好ましくは、少なくとも４つのブリッジ端子が存在し、隣接する接続部材の対応する端子を用いて、それぞれの接続部材の少なくとも２つの接続端子に接続される。
【００１２】
請求項１０に記載された照明システムの実施形態においては、ＤＣ電力接続と共に使用される、フレキシブルなブリッジ部材が提供される。
【００１３】
請求項１２に記載された照明システムの実施形態においては、照明モジュールの回転にかかわらず、２つの接続端子は互いに対面し、異なる隣接する接続部材に属し、常に異なる極性に関連する。ここで述べたブリッジ部材と関連して、完全にフェイルセーフの取り付けが達成される。
【００１４】
請求項１３に記載された照明システムの実施形態においては、ブリッジ部材によって、機械的な接続も得られる。それにより、照明モジュールの構成は、更なる機械的なコネクタを用いずに、組み立てられる。
【００１５】
請求項１４に記載された照明システムの実施形態においては、機械的及び電気的な接続の組合せが得られる。同じことは、請求項１５に記載された実施形態にも当てはまる。
【００１６】
本発明のこれらの及びその他の観点、特徴、及び利点については、以下に説明する実施形態を参照することで明らかになる。
以下、本発明を、添付図面を参照して、より詳細に説明する。
【発明を実施するための最良の形態】
【００１７】
照明システムを構築するときには、所望のサイズ及び形状を構成するように、複数の照明モジュールを組み立てる。別々の配線によって、それぞれの照明モジュールを個別に駆動する必要がないように、照明モジュールは、相互接続可能に設計されている。図１には、照明モジュール１０１を電気的に相互接続するという問題点に対する簡単な解決策を示している。照明モジュールのそれぞれの側部には、１つの正の端子１０３と、１つの負の端子１０５とが設けられている。すべての正の端子は、照明モジュール１０１の内部で相互接続されており、すべての負の端子１０５も同様である。所望の形状及びサイズの照明モジュールの構成になるように照明モジュール１０１が組み立てられたとき、同じ極性の端子、例えば、隣接する照明モジュール１０１に配置された正の端子１０３又は負の端子１０５は、並んで位置決めされる。して、隣接する照明モジュールに配置された、同じ極性の端子１０３又は１０５の間で電気的接続を行うのは容易である。しかしながら、この解決策は、照明モジュール１０１の向きに制約を与える。ある意味で、それらは、誤って取り付けられないために、“こちらが上”と記入しなければならない。間違えて９０度回転させてしまうと、正と負の端子が相互接続され、これにより、間違いなく回路が短絡する。
【００１８】
本発明の第１の実施形態においては、多角形の、ここでは正方形の、照明モジュール２０１は、図２に示すように、照明システムにおいて、以下の通り設計される。それぞれの照明モジュール２０１には、そのそれぞれの側部に、ＤＣ接続部材２０３が設けられている。照明モジュール２０１の内部では、ＤＣ接続部材２０３は、内部回路に並列に接続されている。それぞれのＤＣ接続部材２０３は、正の端子２０５と負の端子２０７とを有する接続端子を備えている。照明モジュール２０１のすべての正の端子２０５は、互いに接続され、同様に、すべての負の端子２０７も互いに接続されている。それぞれの照明モジュール２０１の接続部材２０３は等しい方向に向けられ、接続端子２０５，２０７は、端子の極性に関して、交互に配置され、照明モジュール２０１の外周に沿って、例えば、環状矢印で示すように時計まわりに配置される。従って、接続部材２０３は、照明モジュール２０１のすべての側部で対称的に配置される。このことは、照明モジュール２０１が、隣接する照明モジュール２０１に対していかに向けられるかが重要でないことを意味している。他方において、このことは、また、隣接する照明モジュール２０１に配置された、異なる極性の端子は、上述した簡単な解決策とは反対に並んで配置されていることを意味している。従って、それらは、互いに直接に係合してはならない。
【００１９】
しかしながら、本発明による照明システムは、さらに、ブリッジ部材を備えている。図６には、１つの実施形態によるブリッジ部材６０１の配線を示している。図３において、このようなブリッジ部材６０１は、構成３０１のすべての照明モジュール３０３において、すべての接続部材に取り付けられている。それぞれのブリッジ部材６０１は、２つの隣接するＤＣ接続部材に取り付け可能になっていて、それぞれが照明モジュール３０３のそれぞれと関連している。ブリッジ部材６０１は、ブリッジを形成して、２つのＤＣ接続部材の等しい極性の端子間に、電気的な接続を提供する。ブリッジ部材６０１には、４つのブリッジ端子６０７ａ〜ｄが設けられており、これらブリッジ端子は、矩形の角部に配置され、交差配線６０３，６０５によって、斜めに相互接続されている。それにより、接続部材２０３に取り付けられたとき、ブリッジ部材６０１がどのように回転したかにかかわらず、それぞれの正の端子２０５は相互接続され、それぞれの負の端子２０７は相互接続される。もちろん、交差配線６０３，６０５は、互いに絶縁されている。ＤＣ電源モジュール３０５は、照明モジュール３０３の接続部材と同じタイプの接続部材を備えており、ブリッジ部材６０１によって、照明モジュール３０３の１つに接続される。
【００２０】
図４を参照すると、１つの実施形態によるブリッジ部材４０１は、絶縁材料から作られＵ字形の横断面を有す本体４０３と、本体４０３のそれぞれの端部の近くで対をなして矩形に配置された４つの金属クランプ４０５と、前述した配線６０３，６０５とを備えている。金属クランプ４０５は、前述したブリッジ端子６０７ａ〜ｄに対応している。本体４０３は、底部板４０７と、底部板４０７に対して垂直に延びる対向した長辺方向側壁板４０９とから構成され、長辺側部で、底部板４０７に結合されている。側壁板４０９は、底部板４０７と一体的になっているのが好ましい。それぞれの対のクランプ４０５は、長手側壁板４０９の内側で、互いに対向して配置され、すなわち、互いに対面している。それぞれの照明モジュール４１１は、図１５に示すように、基本的にはレンガ形である。それは、代表的には拡散板である正面板４１３と、側壁４１４と、後板４１９とを有している。後板には、４つの細長い孔４２１が、照明モジュール４１１のそれぞれの側部に１つずつ設けられ、ブリッジ部材４０１を受け入れる。それぞれの照明モジュール４１１は、接続部材４１５を備え、接続部材は、側壁４１４の壁部分４１６と、２つの長手方向に間隔をおいた接触要素４１７とを備えている。接触要素４１７は、壁部分４１６に、内向きに、すなわち、照明モジュール４１１の内側領域に向けて、これに対面して固定されている。
【００２１】
２つの照明モジュール４１１を組み立てるときには、それらを押し合わせて、又はずらして、それらのそれぞれの接続部材を互いに当接させる。次に、ブリッジ部材４０１を、接続部材４１５に押し下げて、ブリッジ部材４０１の底部板４０７を、壁部分４１６の上部長手側部縁部に当接させるようにする。すると、金属クランプ４０５は、接続部材４１５の接触要素４１７と接触する。それにより、照明モジュール４１１の間に電気接続が確立される。加えて、ブリッジ部材４０１は、照明モジュール４１１を機械的に一緒にクランプする。
【００２２】
図５に示すように、変形例の実施形態によるブリッジ部材及び接続部材においては、ブリッジ部材５０１及び接続部材の基本的な形状及び構造は、同じであるが、端子は異なっている。従って、接続部材５１５の接触要素は、ピンから構成され、ブリッジ端子５０５は、ソケットから構成されている。
【００２３】
図７に示すように、照明システムの有利な第２の実施形態においては、照明モジュール７０１は、単に角部接続部材７０３と角部ブリッジ部材７０５とを備えており、これは、図１１にも符号１１０１で示される。それぞれの角部接続部材７０１は、図１１の符号１１０５で示すように、角部接続端子７０３からなる。角部接続端子７０３，１１０５は、交互に相互接続されている。例えば、照明モジュール７０１が正方形である、図示の実施形態においては、角部接続端子７０３，１１０５は、照明モジュール７０１の斜めの対に相互接続される。角部ブリッジ部材１１０１は、４本の脚部を有し、角部ブリッジ端子１１０３を構成し、これらは、角部接続端子１１０５で、取り付け可能になっている。すべての角部ブリッジ端子１１０３は、相互接続される。従って、角部ブリッジ部材７０５，１１０１は、４つの隣接するモジュール７０１のそれぞれの照明モジュールに１つずつ、最大で、４つの角部接続端子を相互接続し、それにより、照明モジュール７０１の角部接続端子７０３，１１０５に適用された所定の極性の電力を、他の３つの角部接続端子に供給する。この実施形態においては、角部ブリッジ端子１１０３は、正方形の角部に配置され、それらはピンとして形成され、ピンは、ソケットとして形成された角部接続端子に合致する。電気的接続に加えて、角部ブリッジ部材７０５は、照明モジュール７０１の間に機械的な接続を提供する。
【００２４】
第１の極性の角部接続端子７０３は、共通する整流ブリッジ７１１の第１の入力端子に接続されており、第２の極性の端子は、整流ブリッジ７１１の第２の入力端子に接続されている。この実施形態においては、整流ブリッジ７１１は、グレーツ整流器と称される種類の、ダイオードの整流ブリッジである。整流ブリッジ７１１は、入力ＡＣ電力を等しく整流し、どの角部接続端子がどの極性に、すなわち、電源のライン又は中立に接続されているかにかかわりない。同じことは、極性が正と負である、ＤＣ電源にも当てはまる。必要ならば、入力ＡＣ電圧を下げるために、整流ブリッジ７１１に変圧器を先行させてもよいことに留意されたい。他方においては、この変形例は、ＡＣだけの解決策である。変形例の実施形態による照明モジュール１３０１は、単に角部接続部材を有し、角部接続部材１３０３は双子部材として形成される。従って、それぞれの角部接続部材１３０３は、２つの接続端子１３０５，１３０７を有し、これらは、照明モジュール１３０１の角部の近くにおいて、２つの異なる側部に、配置される。それぞれの角部接続部材１３０３において、端子１３０５，１３０７は相互接続される。さらに、この実施形態でも同様に、角部接続部材１３０３は、対になって斜めに相互接続される。１つの製造的な観点から、双子部材は、単一の角部材よりも好まれる。
【００２５】
前述した実施形態による照明モジュールは、角部接続部材だけを有して、照明モジュールの斜めの対に接続され、角部接続部材は、斜めに相互接続される接続部材の１つの例とみなされ、別の１つは図１４に示されている。これらの斜めに相互接続された接続部材１４０３は、照明モジュール１４０１の角部から、かなり長い距離に配置される。それらは、照明モジュール１４０１の角部に比べて、照明モジュールの中央に近い。この実施形態には利点があるけれども、不都合は、ブリッジ部材１４０５のサイズである。それぞれのブリッジ部材１４０５は、依然として、４つの照明モジュール１４０１を相互接続する。接続部材１４０３が照明モジュール１４０１の中心に近くなるほど、ブリッジ部材１４０５のサイズは、照明モジュールのサイズに近づく。従って、照明モジュールのそれぞれの接続部材１４０３は、照明モジュールのそれぞれの角部の二等分線に配置される。この定義は、少なくともすべての実施形態の角部接続部材を含む。
【００２６】
図１２には、ダイオードブリッジ１２０１の模式図を示している。出力端子１２０３，１２０５から見ると、ブリッジは、４つのダイオードからなり、出力端子１２０３，１２０５の間に延びた、２つの平行な枝に配置されている。それぞれの枝は、２つの直列に接続されたダイオード１２１１を有している。それぞれ１つの入力端子１２０７，１２０９は、ダイオード１２１１の間の箇所で、それぞれの枝に接続されている。通常のダイオードは、約０．７５Ｖのしきい値電圧を有しているという事実を考慮すると、入力電圧は、ダイオードブリッジ１２０１を通るとき、約１．５Ｖ低下する。その結果、ダイオードブリッジをＤＣ／ＤＣコンバータ１２１３と組み合わせて、幹線ＡＣ電圧など、高電圧のＡＣ電源を用いるのが有利である。
【００２７】
次に、図８を参照すると、第３の実施形態による照明システムにおいては、それぞれの照明モジュール８０１は、側部と共に、角部接続部材８０３，８０５を有し、これらは、整流ブリッジ８０７に接続されている。側部接続部材は相互接続されており、角部接続部材は相互接続されている。従って、角部接続部材８０５は、すべて同じ極性を有し、側部接続部材は、同じ極性を有している。上述した角部ブリッジ部材１１０１は、これらの角部接続部材８０５に取り付け可能になっている。それぞれの側部接続部材は、単一の端子を備えている。図９に示した側部ブリッジ部材の半分である、適当な側部ブリッジ部材が、後述するように、２つの端子を有し、これらは、２つの隣接する照明モジュール８０１の側部接続部材８０３の側部接続端子８０３に取り付け可能になっている。また、この実施形態においては、ＡＣ及びＤＣの両方の電源を使用できる。電源接点８０９は、照明モジュール８０１の１つの片側の角部及び側部の接続部材８０５，８０３に接続され。
【００２８】
次に、図９を参照すると、側部接続部材だけを有する、第４の実施形態が示されている。図には、組み立てられた照明モジュール９０１と、側部ブリッジ部材９０３と、整流ブリッジ９０５と、電源接点９０７とが示されている。上述した第１の実施形態のブリッジ部材６０１と同様に、それぞれの側部ブリッジ部材９０３は、４つの側部ブリッジ端子９０９を備えている。しかしながら、この実施形態においては、ブリッジ端子９０９は、斜めというよりもむしろ、ブリッジ部材の対を横断するようにして相互接続されている。対は、照明モジュール９０１の側部に沿って隔てられる。従って、隣接する照明モジュール９０１に配置されて互いに対面している２つの接続端子は、ブリッジ部材９０３によって相互接続されている。変形例としては、斜めの相互接続を使用することも可能である。
【００２９】
次に、図１０を参照すると、第５の実施形態による照明システムは、照明モジュール１００１を備え、この照明モジュールは、上述した第３の実施形態の照明モジュールと同様に、角部及び側部の接続部材１００３，１００５の組合せを有している。これに反し、この実施形態においては、照明モジュールは、整流ブリッジを有していない。それらは、ＤＣ電源だけの意味である。すべての角部接続部材は、例えば、負などの第１の極性の端子を有し、すべての側部接続部材は、例えば、正などの第２の極性の端子を有している。
【００３０】
次に、図１６を参照すると、第６の実施形態による照明システムは、照明モジュール１６０１を備え、これらは、対称的な側部接続部材１６０３を有している。対称的とは、それぞれの接続部材１６０３の接続端子１６０５が、接続部材１６０３の中心面に対して、対称的に、又は鏡像に、配置されていることを意味している。例えば、図示の実施形態においては、中心面に配置された、中心の負の端子１６０５ａと、負の端子１６０５ａの両側に配置された、正の端子１６０５ｂ，１６０５ｃとが存在している。他の例による端子の組合せは、図１７に示している。すなわち、図１７の第１の例では、接続部材の片端から他端に向けて、４つの連続的な端子１７０１が、照明モジュールの側部に沿って配置され、正の端子と、これに続く２つの負の端子と、最後の別の正の端子とから構成されている。この第１の例においては、中心面は、負の端子１７０１の間の中間に配置されている。第２の例においては、５つの連続的な端子１７０２が存在し、正の端子と、負の端子と、データ端子と、負の端子と、正の端子とからなる。第３の例においては、６つの連続的な端子１７０３が存在し、正の端子と、負の端子と、２つのデータ端子と、負の端子と、正の端子とからなる。別の例においては、電源とデータ端子を含む、９つの端子１７０４が存在する。端子は、さらに別のタイプでもよく、図１７のさらに別の例として、符号１７０５で示すように、照明モジュールの照明要素へのＰＷＭ信号などでもよい。
【００３１】
接続部材１６０３が少なくとも１つの信号について対称的であるとき、１つを越える接続端子が利用可能である。このような多数の接続端子の不都合は、接続部材１６０３のサイズを増加させることである。しかしながら、その利点は、電流が複数の端子に広げられるため、接続部材１６０３の定格電流は、最小数の接続端子を有する非対称的な接続部材に比べて、低くなる。
【００３２】
さらに、対称的な接続部材は、ある意味で、ブリッジ部材を簡素化させる。端子間の交差接続は必要ないが、ブリッジ部材は、簡単な平行配線を有する。それぞれの配線は、対向するブリッジ端子の間に真っ直ぐに延びて、２つの隣接する照明モジュール１６０１に属する２つの接続部材１６０３の２つの対向する接続端子を相互接続する。
【００３３】
本発明による隣接する照明モジュールの電気接続は、照明モジュールの回転にフレキシビリティを提供し、照明モジュールを非正方形にできる。例えば、照明モジュールは、図１８に示すように、矩形とすることができる。例えば、矩形の照明モジュール１８０１は、側部接続部材１８０３を有し、１つの照明モジュール１８０１の短い側部は、別の照明モジュール１８０１の長い側部に接続可能になっている。しかしながら、様々な形状が可能であって、例えば、曲線状又はＹ字形の照明システムを形成するのに使用可能な形状が可能である。
【００３４】
複数の相互接続された照明モジュールからなる照明システムの利点は、照明モジュールの１つの単一の電源接続で駆動可能なことであり、というのは、電力は、接続部材を介して、システム全体にわたってモジュールからモジュールへと伝わるためである。しかしながら、照明モジュールは、限られた電流を伝えることができるだけである。外部電源に接続されたモジュールは、すべてのモジュールの電流を運ばなければならないので、システムのモジュールの最大数は制限される。かかる問題点に対する解決策は、複数の外部電源を使用することであり、これらは、図１９に例示するように、並列に接続可能であり、照明システムの全体にわたって分配される。例示的な照明システム１９０１は、３０台の照明モジュール１９０３を有している。さらに、それぞれの電源１９０５は、限られた電力のＡＣ／ＤＣコンバータである。それぞれのモジュール１９０３は、内部コンバータを必要としない。それぞれの電源１９０５が１０台のモジュールを駆動することができ、それぞれのモジュールが最大電流を導通できると仮定すると、これは、１０台のモジュールに供給するのに充分である。すると、３台の電源１９０５が必要であり、それぞれ１つのモジュール１９０３に接続され、良好にシステム１９０１全体にわたって分配される。すべての３つの電源を同一のモジュール１９０３に接続すると、そのモジュールに過電流が生じるだろう。電源の配置に関して、所定の量のフレキシビリティを得るために、それぞれのモジュールの電流伝達能力には、充分に大きな公差が導入される。従って、図２０に示すように、フレキシビリティが得られる。照明システム２００１の全体の電流は、電源２００５が照明モジュール２００３において等しく分配されていないならば、それ自体で再分配されることに留意されたい。
【００３５】
以上、本発明の実施形態による照明システムについて説明した。これらは、単に非制限的な例示であると考えられるべきである。当業者が理解するように、本発明の範囲内において、多くの変更例と代替的な実施形態が可能である。
【００３６】
従って、上述の実施形態によって説明したように、照明モジュールを組み立てるときに完全な回転の自由度を提供しつつ、照明モジュールを電気的にのみならず機械的に相互接続するための、使用が容易な解決策が得られる。照明モジュールには、代表的に、それらの側部又はそれらの角部又は両方に、接続部材が設けられる。ブリッジ部材が提供される。それらは、端子を相互接続するために、接続部材に取り付けられる。好ましくは、加えて、ブリッジ部材は、機械的なクランプとして作用する。
【００３７】
本願の目的において、及び、特に特許請求の範囲において、“備える”という用語は他の要素又は段階を排斥するものではなく、不定冠詞“ａ”又は“ａｎ”は複数を排斥するものではなく、これは、それ自体、当業者に明らかであることに留意されたい。
【図面の簡単な説明】
【００３８】
【図１】図１は、回転式に互いに整列させなければならない、照明モジュールの構成を示している。
【図２】図２は、照明モジュールの構成を示しており、本発明の照明システムの実施形態に従って、任意の回転で取り付けられる。
【図３】図３は、図２の構成と共に、取り付けられた接続部材を示している。
【図４】図４は、異なる実施形態による接続部材及びブリッジ部材を示した断面図である。
【図５】図５は、異なる実施形態による接続部材及びブリッジ部材を示した断面図である。
【図６】図６は、図４及び図５の実施形態に採用されている、ブリッジ部材の配線を示している。
【図７】図７は、本発明のさらに別の実施形態による照明システムの照明モジュールの構成を示した図である。
【図８】図８は、本発明のさらに別の実施形態による照明システムの照明モジュールの構成を示した図である。
【図９】図９は、本発明のさらに別の実施形態による照明システムの照明モジュールの構成を示した図である。
【図１０】図１０は、本発明のさらに別の実施形態による照明システムの照明モジュールの構成を示した図である。
【図１１】図１１は、図７、図８、及び図１０の実施形態において採用されるブリッジ部材の実施形態を模式的に示した斜視図である。
【図１２】図１２は、本発明による実施形態の照明モジュールに採用される電力適合回路を示したブロック図である。
【図１３】図１３は、本発明のさらに別の実施形態による照明システムによる照明モジュールの構成を示した図である。
【図１４】図１４は、本発明のさらに別の実施形態による照明システムによる照明モジュールの構成を示した図である。
【図１５】図１５は、本発明による照明モジュールの外観を示した斜視図である。
【図１６】図１６は、本発明のさらに別の実施形態による照明システムの照明モジュールの構成を示した図である。
【図１７】図１７は、異なる実施形態の照明モジュールによる接続端子構造を示している。
【図１８】図１８は、図１６の照明モジュールの光学的相互接続可能性を示している。
【図１９】図１９は、照明システムの電源供給の異なる構成を示している。
【図２０】図２０は、照明システムの電源供給の異なる構成を示している。
【図１】
2009519577.tif 000003
【図２】
2009519577.tif 000004
【図３】
2009519577.tif 000005
【図４】
2009519577.tif 000006
【図５】
2009519577.tif 000007
【図６】
2009519577.tif 000008
【図７】
2009519577.tif 000009
【図８】
2009519577.tif 000010
【図９】
2009519577.tif 000011
【図１０】
2009519577.tif 000012
【図１１】
2009519577.tif 000013
【図１２】
2009519577.tif 000014
【図１３】
2009519577.tif 000015
【図１４】
2009519577.tif 000016
【図１５】
2009519577.tif 000017
【図１６】
2009519577.tif 000018
【図１７】
2009519577.tif 000019
【図１８】
2009519577.tif 000020
【図１９】
2009519577.tif 000021
【図２０】
2009519577.tif 000022
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
照明システムであって、複数の相互接続可能な多角形の照明モジュールを備え、それぞれの照明モジュールは、それぞれが少なくとも１つの電気端子を備えた複数の接続部材を有し、該接続部分は照明モジュールに回転対称に配置され、
前記照明システムは、さらにブリッジ部材を備え、それぞれのブリッジ部材は、ブリッジ端子を備えていると共に隣接する接続部材に取り付け可能であり、それぞれが照明モジュールのそれぞれに関連してブリッジを形成し、絶縁接続部材の接続端子の間に電気的接続を提供し、
前記接続部材は、ＤＣ接続部材からなり、それぞれが照明モジュールのそれぞれの側部に配置され、それぞれ異なる極性に接続可能な２つの接続端子を備え、それぞれのブリッジ部材は、隣接する２つのＤＣ接続部材に取り付け可能であり、それぞれが照明モジュールのそれぞれと関連しており、前記ブリッジ部材のそれぞれ１つは、４つのブリッジ端子を備えて、矩形の角部に配置され、対になって斜めに相互接続され、異なる極性に接続可能になっている、
ことを特徴とする照明システム。
【請求項２】
前記接続部材は、整流ブリッジに接続されている、
請求項１に記載の照明システム。
【請求項３】
前記接続部材は、角部接続部材を備え、それぞれは角部接続端子を備え、照明モジュールのそれぞれの角部には、そうした角部接続部材が設けられている、
請求項２に記載の照明システム。
【請求項４】
前記接続部材は、側部接続部材を備え、それぞれは側部接続端子を備え、照明モジュールのそれぞれの側部には、そうした側部接続部材が設けられている、
請求項２又は３に記載の照明システム。
【請求項５】
前記ブリッジ部材は、側部ブリッジ部材を備え、それぞれには、２つの相互接続されたブリッジ端子が設けられ、これらは２つの隣接する側部接続端子に取り付け可能になっていて、これらはそれぞれ照明モジュールのそれぞれと関連している、
請求項４に記載の照明システム。
【請求項６】
前記ブリッジ部材は、角部ブリッジ部材を備え、それぞれには角部ブリッジ端子が設けられ、これらは隣接する角部接続端子に取り付け可能であり、これらはそれぞれ照明モジュールのそれぞれと関連しており、それぞれの角部ブリッジ部材の角部ブリッジ端子は相互接続されている、
請求項３、４、又は５に記載の照明システム。
【請求項７】
前記接続部材は、側部接続部材からなり、それぞれが照明モジュールのそれぞれの側部に配置されている、
請求項２に記載の照明システム。
【請求項８】
前記ブリッジ部材は、側部ブリッジ部材からなり、それぞれが４つの側部ブリッジ端子を備え、これらは対になるように相互接続され、前記ブリッジ端子の前記対のそれぞれ１つは、２つの隣接する側部接続部材に取り付け可能であり、それぞれが照明モジュールのそれぞれと関連している、
請求項７に記載の照明システム。
【請求項９】
前記接続部材は、ＡＣ及びＤＣの電源のいずれか１つによって、通電可能になっている、請求項１ないし８の何れか１項に記載の照明システム。
【請求項１０】
照明システムであって、複数の相互接続可能な多角形の照明モジュールを備え、それぞれの照明モジュールは複数の接続部材を有し、それぞれは少なくとも１つの電気端子を備え、これらは照明モジュールに回転対称的に配置され、前記照明システムはさらにブリッジ部材を備え、それぞれのブリッジ部材は、ブリッジ端子を備えていると共に隣接する接続部材に取り付け可能であり、それぞれが照明モジュールのそれぞれに関連して、ブリッジを形成し、接続部材の接続端子の間に電気的接続を提供し、前記電気接続部材は、角部接続部材を備えたＤＣ接続部材からなり、これらは第１の極性に接続可能であり、これらはそれぞれ照明モジュールのそれぞれの角部に配置され、側部接続部材を備え、これらはそれぞれ照明モジュールのそれぞれの角部に配置され、第２の、反対の極性に接続可能である、
ことを特徴とする照明システム。
【請求項１１】
前記接続端子は、前記照明モジュールの周囲に沿って、極性に関して交互に配置されている、
請求項１又は１０に記載の照明システム。
【請求項１２】
前記ブリッジ部材はさらに、ブリッジ接続された部材の間に機械的な接続を提供する、
請求項１ないし１１の何れか１項に記載の照明システム。
【請求項１３】
前記ブリッジ端子は、金属クランプを備え、これらは前記接続端子の電気接触部分と当接するように配置され、接続部材を一緒にクランプする、
請求項１ないし１２の何れか１項に記載の照明システム。
【請求項１４】
それぞれのブリッジ端子は、１つのピンとソケットとを備え、それぞれの接続端子は、１つのピンとソケットとを備え、該ピンとソケットとが係合されるように配置されている、
請求項１ないし１３の何れか１項に記載の照明システム。
【請求項１５】
前記接続部材は、前記照明モジュールの周囲に配置されている、
請求項１ないし１４の何れか１項に記載の照明システム。
【国際調査報告】
2009519577.tif 000023
2009519577.tif 000024
2009519577.tif 000025